(57)【要約】【課題】  キャリッジの走査速度の高速化と、読取開始指示からキャリッジによる走査開始までの時間短縮と、原稿読取装置の小型化を並立させる。【解決手段】  キャリッジ２０２を白基準板２１０が設けられた第１位置（ｂ）へ移動させて、ＣＣＤラインセンサ２０８に白基準板２１０を読み取らせた後、キャリッジ２０２を第２位置（ｃ）へ移動させ、読取開始指示を待機する。読取開始指示に応じてキャリッジを原稿台ガラス２０９に沿って移動させる。ＣＣＤラインセンサ２０８が白基準板を読み取ってから読取開始指示が入力されることなく所定時間が経過したことに応じて、キャリッジ２０２を第２位置から第１位置（ｂ）へ移動させて、ＣＣＤラインセンサ２０２に白基準板を読み取らせた後、キャリッジ２０２を第２位置（ｃ）へ移動させる。【選択図】  図４
2010245619.tif 000002
【特許請求の範囲】
【請求項１】
原稿を載置するための原稿台と、
前記原稿台に沿って光源を移動させるキャリッジと、
前記キャリッジの光源により露光された原稿の画像を読み取る読取手段と、
前記キャリッジの移動範囲内に設けられた白基準部材と、
原稿の読取開始指示を入力する入力手段と、
前記入力手段から入力された読取開始指示に応じて前記キャリッジを前記原稿台に沿って移動させる制御手段と、
を有し、
前記制御手段は、前記白基準部材が設けられた第１位置へ前記キャリッジを移動させて、前記読取手段に前記白基準部材を読み取らせた後、前記原稿台の読取開始位置に向かって助走するための助走開始位置としての第２位置へ前記キャリッジを移動させ、前記入力手段から入力される読取開始指示を待機することを特徴とする原稿読取装置。
【請求項２】
前記第２位置は、前記キャリッジが前記読取開始位置に移動するまでに前記キャリッジを目標速度まで加速して速度を安定させることが可能な位置であることを特徴とする請求項１記載の原稿読取装置。
【請求項３】
前記第２位置と前記読取開始位置の距離は、前記第１位置と前記読取開始位置の距離よりも長いことを特徴とする請求項１記載の原稿読取装置。
【請求項４】
前記第２位置と前記読取開始位置の距離は、前記キャリッジを目標速度まで加速することが可能な距離であることを特徴とする請求項３記載の原稿読取装置。
【請求項５】
前記原稿台に載置された原稿を押さえる圧板と、
前記圧板の開閉を検知する検知手段を有し、
前記制御手段は、前記圧板が開けられたことを前記検知手段が検知したことに応じて、前記キャリッジを前記原稿台の原稿載置範囲内の第３位置へ移動させ、前記圧板が所定角度まで閉じられたことを前記検知手段が検知したことに応じて、前記読取手段に前記第３位置を読み取らせた後、前記キャリッジを前記第１位置へ移動させることを特徴とする請求項１記載の原稿読取装置。
【請求項６】
前記制御手段は、前記読取手段が前記第３位置を読み取った画像に基づいて前記原稿台に載置された原稿のサイズを検知することを特徴とする請求項５記載の原稿読取装置。
【請求項７】
前記制御手段は、前記読取手段が前記白基準部材を読み取ってから前記入力手段から読取開始指示が入力されることなく所定時間が経過したことに応じて、前記キャリッジを前記第２位置から前記第１位置へ移動させて、前記読取手段に前記白基準部材を読み取らせた後、前記キャリッジを前記第２位置へ移動させることを特徴とする請求項１記載の原稿読取装置。
【請求項８】
原稿を前記原稿台とは異なる流し読み位置へ搬送する搬送手段を有し、
前記制御手段は、前記搬送手段により搬送される原稿を読み取る場合、前記キャリッジを前記流し読み位置へ移動させ、前記流し読み位置を搬送される原稿を前記読取手段に読み取らせ、前記原稿台に載置された原稿を読み取る場合、前記キャリッジを前記原稿台に沿って移動させ、前記原稿台に載置された原稿を前記読取手段に読み取らせることを特徴とする請求項１記載の原稿読取装置。
【請求項９】
前記白基準部材は、前記原稿台と前記流し読み位置の間に設けられたことを特徴とする請求項８記載の原稿読取装置。
【発明の詳細な説明】
【技術分野】
【０００１】
本発明は、キャリッジを原稿台に沿って移動させる原稿読取装置に関する。
【背景技術】
【０００２】
従来から、複写装置のＦＣＯＴ（ファースト・コピー・アウトプット・タイム）、すなわち、コピー開始を指示してから１枚目の出力までの時間の短縮化が望まれている。複写装置のＦＣＯＴを短縮化するため、原稿圧板が開状態から閉状態にされたことに応じて、キャリッジを白基準板が設けられた位置に移動させ、コピー開始指示を待機することが提案されている（特許文献１及び特許文献２）。特許文献１における提案では、コピー開始指示に応じて白基準板を読み取る。特許文献２における提案では、コピー開始指示を待たずに白基準板を読み取る。これらの構成によれば、コピー開始指示を受けてからキャリッジを白基準板の位置まで移動させるよりも原稿読取開始までの時間を短縮できる。特許文献１及び２のいずれの提案においても、コピー開始指示があるとキャリッジを白基準板の位置から加速させ、原稿台ガラス上の原稿を走査する。
【先行技術文献】
【特許文献】
【０００３】
【特許文献１】特開２００１−２８５５８３号公報
【特許文献２】特開平０４−１３５３７５号公報
【発明の概要】
【発明が解決しようとする課題】
【０００４】
原稿読取の更なる生産性向上がもとめられており、そのためにはキャリッジを高速に移動させる必要がある。上記提案のように、原稿台ガラスに隣接した白基準板の位置に静止したキャリッジを原稿台ガラスに達するまでに高速の走査速度まで加速するには、高出力モータが必要となるが、高出力モータの採用は装置の大型化やコストアップにつながる。白基準板の位置を原稿台ガラスから遠ざけることにより、キャリッジの加速距離を長くすれば、高出力モータを採用しなくても、キャリッジを高速の走査速度まで加速できるが、装置の大型化につながる。
【課題を解決するための手段】
【０００５】
上記課題を解決するため、本発明は、原稿を載置するための原稿台と、前記原稿台に沿って光源を移動させるキャリッジと、前記キャリッジの光源により露光された原稿の画像を読み取る読取手段と、前記キャリッジの移動範囲内に設けられた白基準部材と、原稿の読取開始指示を入力する入力手段と、前記入力手段から入力された読取開始指示に応じて前記キャリッジを前記原稿台に沿って移動させる制御手段と、を有し、前記制御手段は、前記白基準部材が設けられた第１位置へ前記キャリッジを移動させて、前記読取手段に前記白基準部材を読み取らせた後、前記原稿台の読取開始位置に向かって助走するための助走開始位置としての第２位置へ前記キャリッジを移動させ、前記入力手段から入力される読取開始指示を待機することを特徴とする原稿読取装置を提供するものである。
【発明の効果】
【０００６】
本発明によれば、キャリッジの走査速度の高速化と、読取開始指示からキャリッジによる走査開始までの時間短縮と、原稿読取装置の小型化を並立できる。
【図面の簡単な説明】
【０００７】
【図１】本発明の実施形態である原稿読取装置の断面図である。
【図２】ＡＤＦ１００の開閉検知機構を説明する図である。
【図３】原稿読取装置の制御ブロック図である。
【図４】固定読み時のキャリッジ２０２の移動制御を説明する図である。
【図５】ＣＰＵ８０１が実行する処理を示すフローチャートである。
【発明を実施するための形態】
【０００８】
図１は、本発明の実施形態である原稿読取装置の断面図である。原稿読取装置は、原稿読取部２００及び自動原稿給紙部（ＡＤＦ）１００を有する。ＡＤＦ１００は原稿を原稿読取部２００の流し読みガラス上へ搬送する。原稿読取部２００は、流し読みガラス上を搬送される原稿の表面の読み取り（流し読み）と、原稿台ガラス上の原稿の読み取り（固定読み）を行う。ＡＤＦ１００は原稿の裏面の流し読みを行う。
【０００９】
原稿トレイ３０に設けられた原稿検知センサ１４は、原稿トレイ３０上の原稿の有無を検知する。給紙ローラ１は、原稿トレイ３０に積載された原稿束Ｓの原稿面に接触して回転することにより、原稿束の最上面の原稿を給紙する。給紙ローラ１によって給送された原稿は、分離ローラ２と分離パッド２１の作用によって１枚に分離される。
【００１０】
分離された原稿は、搬送ローラ３によりレジストローラ４へ搬送され、レジストローラ４に原稿を突き当てられることにより、原稿の搬送中の斜行が補正される。レジストローラ４が回転することにより給紙パスに送られた原稿は、プラテン上流ローラ５及びプラテンローラ６により流し読みガラス２０１上に送られる。流し読みガラス２０１上を搬送される原稿の表面（おもて面）は光源としてのランプ２０３により露光される。原稿からの反射光は、ミラー２０４、２０５、２０６、レンズ２０７を経て、ＣＣＤラインセンサ２０８によって受光され、原稿の表面画像が読み取られる。プラテンローラ６により搬送された原稿は、プラテン下流ローラ７を通過し、裏面読取ローラ８に送られる。裏面読取ローラ８とガラス１６の間を搬送される原稿の裏面は、ランプ９により露光され、原稿からの反射光はＣＣＤラインセンサ１０に受光され、原稿の裏面画像が読み取られる。裏面読取ローラ８により搬送された原稿は、排紙ローラ１２によって排紙トレイ１３上に排出される。
【００１１】
原稿読取部２００は、キャリッジ２０２を流し読みガラス２０１下方から原稿台ガラス２０９に沿って副走査方向に移動させることで、原稿台ガラス２０９上の原稿を読み取る（固定読み）。なお、副走査方向は、ＣＣＤラインセンサ２０８の配列方向（主走査方向）と直交方向である。また、原稿読取部２００は、キャリッジ２０２を流し読みガラス２０１の下方に静止させ、ＡＤＦ１００により搬送される原稿を読み取る（流し読み）。
【００１２】
また、白基準板（シェーディング白板、白基準部材）２１０は、原稿読取部２００の読取光学系のシェーディング等を補正するための白レベルの基準データを作成するための白板である。白基準板２１０の主走査方向の長さは原稿読取幅以上の長さが必要であり、副走査方向の幅は白基準板にゴミが付着したときにその影響を回避できる程度の幅が必要である。白基準板２１０は、キャリッジ２０２の移動範囲内の位置であって、原稿台ガラス２０９と流し読みガラス２０１の間に設けられている。白基準板２１０は、原稿台ガラス２０９上の原稿の読み取り、及び、流し読みガラス２０１上を搬送される原稿の読み取りに先立ってＣＣＤラインセンサ２０８により読み取られる。
【００１３】
白基準板２１０は、流し読みガラス２０１上に送られた原稿をすくい上げてプラテン下流ローラ７へ案内するためのガイドスロープ２１３の下方に設けられている。プラテン上流ローラ５側からプラテン下流ローラ７側へ原稿を搬送する構成の場合、このガイドスロープ２１３は図１の流し読みガラス２０１の右側に隣接して設ける必要がある。白基準板２１０は基本的にどの位置に設けてもよいが、ガイドスロープ２１３と白基準板２１０を重ねることにより原稿読取装置を小型化することができる。仮に、白基準板２１０を流し読みガラス２０１の左側に隣接して設けた場合、流し読みガラス２０１の右側に設けられたガイドスロープ２１３を除去しない限り、原稿読取装置が大型化してしまう。ガイドスロープ２１３と白基準板２１０を流し読みガラス２０１の左側に設ける場合には、図１において原稿を流し読みガラス２０１の右側から左側へ搬送することになり、原稿トレイが排紙トレイの下方になるため、ユーザが原稿を原稿トレイに載置する際の操作性が悪くなってしまう。このように、白基準板２１０は原稿台ガラス２０９と流し読みガラス２０１の間であって、ガイドスロープ２１３の下方に設けるのが好ましい。
【００１４】
図２は、ＡＤＦ１００の開閉検知機構を説明する図である。ＡＤＦ１００の排紙トレイ１３の下面は原稿台ガラス２０９に原稿を押さえつける原稿圧板となっており、ユーザによってＡＤＦ１００が開閉される。原稿読取部２００はＡＤＦ１００の開閉状態を検知する開閉検知センサ２１１を備える。開閉検知センサ２１１は、ＡＤＦ１００が原稿台ガラス２０９に対して所定角度（例えば３０°）まで閉じられたときに、その状態を示す信号をＣＰＵ９０１へ出力する。また、原稿読取部２００はサイズ検知センサ２１２を備え、ランプ２０３により露光された原稿からの反射光を検知したサイズ検知センサ出力に応じて、原稿台ガラス２０９上の原稿サイズを判別する。
【００１５】
図３は、原稿読取装置の制御ブロック図である。ＣＰＵ８０１はＡＤＦ１００及び原稿読取部２００を制御する。ＲＯＭ８０２には、制御用プログラムが格納されており、ＲＡＭ８０３には、入力データや作業用データが格納されている。ＣＰＵ８０１は、分離モータ８２３、搬送モータ８２４、リードモータ８２６、排紙モータ８２５、ランプ２０３、ランプ９を制御する。分離モータ８２３は、給紙ローラ１、分離ローラ２を駆動する。搬送モータ８２４は、搬送ローラ３、レジストローラ４を駆動する。リードモータ８２６は、プラテン上流ローラ５、プラテンローラ６、プラテン下流ローラ７、裏面読取ローラ８を駆動する。排紙モータ８２５は排紙ローラ１２を駆動する。また、ＣＰＵ８０１は、キャリッジ２０２を副走査方向に移動させるべく駆動する光学モータ８２２を制御する。また、原稿検知センサ１４、開閉検知センサ２１１、サイズ検知センサ群２１２の検知結果はＣＰＵ８０１に入力される。また、ＣＣＤラインセンサ１０及び２０８で読み取られた画像データは、画像処理部８３３を介して一旦画像メモリ８３２に格納される。
【００１６】
コントローラ３００は、ＣＰＵ９０１、ＲＯＭ９０２、ＲＡＭ９０３を備え、ＣＰＵ９０１はＣＰＵ８０１との間で原稿読取制御に関するデータの授受を行う。画像データは画像処理部８３３から画像処理部９０５へ画像ラインを介して転送され、画像メモリ９０６に格納される。また、コントローラ３００は、ユーザが設定を入力し、設定内容等を表示するための操作表示部９０４を備える。
【００１７】
図４は、固定読み時のキャリッジ２０２の移動制御を説明する図である。図４（ａ）は、ＡＤＦ１００が開状態のときのキャリッジ２０２の待機位置（第３位置）を示す。待機位置は、原稿台ガラス２０９の下方であって、原稿台ガラス２０９の原稿載置範囲内である。ＡＤＦ１００が角度３０°まで閉じられたことが検知されると、ランプ２０３が点灯し、原稿台ガラス２０９上の原稿からの反射光がキャリッジ２０２を介してＣＣＤラインセンサ２０８に受光され、原稿の有無及び原稿の主走査方向のサイズが検出される。図４（ｂ）は、白基準板２１０を読み取る位置（第１位置）を示す。原稿の有無及び原稿の主走査方向のサイズが検出された後、キャリッジ２０２は白基準板読取位置へ移動し、キャリッジ２０２を介してＣＣＤラインセンサ２０８により白基準板２１０が読み取られる。
【００１８】
図４（ｃ）は、キャリッジ２０２の助走開始位置（第２位置）を示す。助走開始位置は白基準板読取位置とは異なる位置である。また、助走開始位置と原稿台ガラス２０９の距離は、白基準板読取位置と原稿台ガラス２０９の距離よりも長い。助走開始位置と原稿台ガラス２０９の距離は、キャリッジ２０２が原稿台ガラス２０９に移動するまでにキャリッジ２０２を光学モータ８２２により目標速度まで加速可能な位置である。白基準板２１０を読み取った後、キャリッジ２０２は助走開始位置へ移動し、操作表示部９０４からの読取開始指示（ユーザによるスタートキーの押下）の入力があるまで待機する。
【００１９】
図４（ｄ）は、原稿台ガラス２０９上の原稿を読取走査中のキャリッジ２０２の位置を示す。キャリッジ２０２は読取開始指示に応じて助走開始位置から読取開始位置に向かって加速（助走）し、原稿台ガラス２０９を走査する。図４（ｅ）は、キャリッジ２０２が助走開始位置から副走査方向へ移動する際の速度を示したグラフである。図４（ｅ）に示すように、キャリッジ２０２が読取開始位置（原稿台ガラス２０９の図４における左端）に到達するまでに、キャリッジ２０２の速度は目標速度に加速され、且つ、安定した目標速度になるように加速制御される。つまり、キャリッジ２０２が読取開始位置に達するまでに、オーバシュートによる振動が充分に取れている状態になっており、原稿走査中のキャリッジ２０２の速度変動による画質低下を防止している。
【００２０】
図５は、ＣＰＵ８０１が実行する処理を示すフローチャートである。このフローチャートの処理を実行するプログラムはＲＯＭ８０２に記憶されており、ＣＰＵ８０１により読み出されて実行させる。まず、ＣＰＵ８０１は、開閉検知センサ２１１の検知結果に基づいてＡＤＦ１００が開状態か判断する（Ｓ５０１）。ＡＤＦ１００が開状態の場合には、光学モータ８２２を駆動させてキャリッジ２０２をサイズ検知位置（図４（ａ））に移動させる（Ｓ５０２）。ステップＳ５０１でＡＤＦ１００が開状態から角度３０°まで閉じられた場合は、ランプ２０３を点灯させ、ＣＣＤラインセンサ２０８が受光した反射光に基づいて原稿台ガラス２０９上の原稿の有無及び原稿の主走査方向のサイズを検出する（Ｓ５０３）。そして、ＣＰＵ８０１は、光学モータ８２２を回転させてキャリッジ２０２を白基準板読取位置（図４（ｂ））へ移動させる（Ｓ５０４）。
【００２１】
次に、ＣＰＵ８０１は、原稿検知センサ１４の検知結果に基づいて原稿トレイ３０に原稿が積載されているか判断する（Ｓ５０５）。原稿トレイに原稿がない場合は、ステップＳ５０３の検出結果に基づいて、原稿台ガラス２０９上に原稿が置かれているか判断する（Ｓ５０６）。原稿台ガラス２０９上に原稿がない場合は、ステップＳ５０１に戻り、原稿がある場合は、ランプ２０３を点灯させて、ランプ２０３により露光された白基準板２１０をＣＣＤラインセンサ２０８に読み取らせる（Ｓ５０７）。白基準板２１０を読み取った画像データに基づいて画像処理部８３３はシェーディング補正値を算出する。
【００２２】
白基準板２１０を読み取った後、ＣＰＵ８０１は、光学モータ８２２を駆動させてキャリッジ２０２を助走開始位置（図４（ｃ））に移動させる（Ｓ５０８）。そして、ＣＰＵ８０１は、ＣＰＵ９０１からの読取開始指示の有無を判断する（Ｓ５０９）。ＣＰＵ９０１は、操作表示部９０４からの読取開始指示（ユーザによるスタートキーの押下）に応じて、ＣＰＵ８０１に読取開始指示を出力する。ステップＳ５０９において読取開始指示がなされたことに応じて、ＣＰＵ８０１は光学モータ８２２を駆動させてキャリッジ２０２を助走開始位置から副走査方向に移動させる。キャリッジ２０２が読取開始位置（原稿台ガラス２０９の図４における左端）に到達するまでに、キャリッジ２０２の速度が目標速度まで加速され、安定した目標速度となるように、ＣＰＵ８０１は光学モータ８２２を制御する。そして、ＣＰＵ８０１は、原稿台ガラス２０９上の原稿の画像を読み取ったＣＣＤラインセンサ２０８から出力される画像データを、画像処理部８３３を介してコントローラ３００の画像処理部９０５へ転送する（Ｓ５１０）。このように、白基準板２１０を読み取った後、キャリッジ２０２を助走開始位置へ移動させて読取開始指示を待機するので、読取開始指示に応じて即座にキャリッジ２０２による原稿走査を開始することができ、ＦＣＯＴを短縮化することができる。
【００２３】
ステップＳ５０９において読取開始指示がない場合は、白基準板２１０を読み取ってから所定時間経過（タイムアウト）したか判断し（Ｓ５１１）、所定時間経過するまではＳ５０９に戻り、読取開始指示を待機する。ステップＳ５１１において所定時間経過した場合は、ステップＳ５０１に戻る。ステップＳ５１１からＳ５０１へ戻ったときに、ＡＤＦ１００が閉状態のままの場合は、キャリッジ２０２を白基準板読取位置へ移動させて（Ｓ５０４）、白基準板２１０を読み取って（Ｓ５０７）、キャリッジ２０２を再び助走開始位置に移動させる（Ｓ５０８）。白基準板２１０を読み取ってから時間が経過するにつれて、ＣＣＤラインセンサ２０８の温度変化等に起因してＣＣＤラインセンサ２０８の読取特性が変動する場合があるが、所定時間経過毎に白基準板２１０を読み取り直すので、読取特性の変動に応じた修正がなされる。また、白基準板２１０を読み取った後はキャリッジ２０２を助走開始位置へ移動させておくので、読取開始指示に応じて即座にキャリッジ２０２による原稿走査を開始することができ、ＦＣＯＴを短縮化することができる。
【００２４】
ステップＳ５０５で原稿トレイ３０に原稿が積載されている場合、ＣＰＵ８０１は、ＣＰＵ９０１からの読取開始指示の有無を判断する（Ｓ５１２）。ステップＳ５０９において読取開始指示がない場合にはステップＳ５０５へ戻り、読取開始指示がなされた場合には、ランプ２０３を点灯させて白基準板２１０をＣＣＤラインセンサ２０８に読み取らせる（Ｓ５１３）。白基準板２１０を読み取った後、ＣＰＵ８０１は、光学モータ８２２を駆動させてキャリッジ２０２をプラテンローラ６下方の流し読み位置に移動させる（Ｓ５１４）。そして、ＣＰＵ８０１はランプ２０３を点灯させ、分離モータ８２３、搬送モータ８２４、リードモータ８２６、排紙モータ８２５を駆動させて、原稿を流し読みガラス２０１へ向けて搬送させる。流し読みガラス２０１上を移動する原稿の画像を読み取ったＣＣＤラインセンサ２０８から出力される画像データを、画像処理部８３３を介してコントローラ３００の画像処理部９０５へ転送する（Ｓ５１６）。
【００２５】
上述した実施形態では、ＡＤＦ１００の開閉検知に応じてキャリッジ２０２の位置制御を行っているが、ＡＤＦが装着されない原稿読取装置にも適用可能である。すなわち、原稿を原稿台ガラス２０９へ押さえつける圧板の開閉検知に応じて上述のようなキャリッジ２０２の位置制御を行うようにしてもよい。
【００２６】
また、上述した実施形態では、ＡＤＦ１００が閉じられ、原稿台ガラス２０９上に原稿がある場合に、キャリッジ２０２を助走開始位置に移動させたが、これに限られない。例えば、ＡＤＦ１００が閉じられ、原稿台ガラス２０９上に原稿があり、操作表示部９０４からユーザにより何らかの入力がなされた場合にキャリッジ２０２を助走開始位置に移動させてもよい。
【００２７】
また、上述した実施形態では、ランプ２０３とミラー２０４がキャリッジ２０２に設けられ、ＣＣＤラインセンサ２０８はキャリッジ２０２の外に設けられているが、これに限られない。例えば、キャリッジ２０２にコンタクトイメージセンサを有する構成や、キャリッジ２０２に縮小光学系及びＣＣＤラインセンサを有する構成でもよい。
【００２８】
また、上述した実施形態では、読取開始指示は操作表示部９０４から入力されるものとしたが、原稿読取装置に通信部を介して接続されたパーソナルコンピュータ上のドライバソフトから入力されてもよい。
【符号の説明】
【００２９】
１００  ＡＤＦ
２００  原稿読取部
２０２  キャリッジ
２０３  ＣＣＤラインセンサ
２０９  原稿台ガラス
２１０  白基準板
２１１  開閉検知センサ
８０１  ＣＰＵ
８２２  光学モータ
８２８  ランプ
８３３  画像処理部
【図１】
2010245619.tif 000003
【図２】
2010245619.tif 000004
【図３】
2010245619.tif 000005
【図４】
2010245619.tif 000006
【図５】
2010245619.tif 000007
【手続補正書】
【提出日】平成22年4月16日(2010.4.16)
【手続補正１】
【補正対象書類名】特許請求の範囲
【補正対象項目名】全文
【補正方法】変更
【補正の内容】
【特許請求の範囲】
【請求項１】
原稿を載置するための原稿台と、
前記原稿台に沿って移動し、前記原稿台を露光するキャリッジと、
前記キャリッジにより露光された前記原稿台上の原稿の画像を読み取る読取手段と、
白基準部材と、
前記読取手段による原稿画像の読み取りの開始を指示する読取開始指示を入力する入力手段と、
前記入力手段から入力された前記読取開始指示に応じて前記キャリッジを前記原稿台に沿って移動させる制御手段と、
を有し、
前記制御手段は、前記読取開始指示に先立って前記白基準部材が設けられた第１位置へ前記キャリッジを移動させて、前記読取手段に前記白基準部材を読み取らせた後、前記原稿台の読取開始位置に向かって助走するための助走開始位置としての第２位置へ前記キャリッジを移動させ、前記読取開始指示を待機することを特徴とする原稿読取装置。
【請求項２】
前記第２位置は、前記キャリッジが前記読取開始位置に移動するまでに前記キャリッジを目標速度まで加速して速度を安定させることが可能な位置であることを特徴とする請求項１記載の原稿読取装置。
【請求項３】
前記第２位置と前記読取開始位置の距離は、前記第１位置と前記読取開始位置の距離よりも長いことを特徴とする請求項１記載の原稿読取装置。
【請求項４】
前記第２位置と前記読取開始位置の距離は、前記キャリッジを目標速度まで加速することが可能な距離であることを特徴とする請求項３記載の原稿読取装置。
【請求項５】
前記原稿台に載置された原稿を押さえる圧板と、
前記圧板の開閉を検知する検知手段を有し、
前記制御手段は、前記圧板が開けられたことを前記検知手段が検知したことに応じて、前記キャリッジを第３位置へ移動させ、前記圧板が所定角度まで閉じられたことを前記検知手段が検知したことに応じて、前記読取手段に前記第３位置で原稿画像を読み取らせた後、前記キャリッジを前記第１位置へ移動させることを特徴とする請求項１記載の原稿読取装置。
【請求項６】
前記制御手段は、前記読取手段が前記第３位置で読み取った原稿画像に基づいて前記原稿台に載置された原稿のサイズを検知することを特徴とする請求項５記載の原稿読取装置。
【請求項７】
前記制御手段は、前記読取手段が前記白基準部材を読み取ってから前記入力手段から読取開始指示が入力されることなく所定時間が経過したことに応じて、前記キャリッジを前記第２位置から前記第１位置へ移動させて、前記読取手段に前記白基準部材を読み取らせた後、前記キャリッジを前記第２位置へ移動させることを特徴とする請求項１記載の原稿読取装置。
【請求項８】
原稿を前記原稿台とは異なる流し読み位置へ搬送する搬送手段を有し、
前記制御手段は、前記搬送手段により搬送される原稿を読み取る場合、前記キャリッジを前記流し読み位置へ移動させ、前記流し読み位置を搬送される原稿を前記読取手段に読み取らせ、前記原稿台に載置された原稿を読み取る場合、前記キャリッジを前記原稿台に沿って移動させ、前記原稿台に載置された原稿を前記読取手段に読み取らせることを特徴とする請求項１記載の原稿読取装置。
【請求項９】
前記白基準部材は、前記原稿台と前記流し読み位置の間に設けられたことを特徴とする請求項８記載の原稿読取装置。
【手続補正２】
【補正対象書類名】明細書
【補正対象項目名】０００５
【補正方法】変更
【補正の内容】
【０００５】
上記課題を解決するため、本発明は、原稿を載置するための原稿台と、前記原稿台に沿って移動し、前記原稿台を露光するキャリッジと、前記キャリッジにより露光された原稿の画像を読み取る読取手段と、白基準部材と、前記読取手段による原稿画像の読み取りの開始を指示する読取開始指示を入力する入力手段と、前記入力手段から入力された読取開始指示に応じて前記キャリッジを前記原稿台に沿って移動させる制御手段と、を有し、前記制御手段は、前記読取開始指示に先立って前記白基準部材が設けられた第１位置へ前記キャリッジを移動させて、前記読取手段に前記白基準部材を読み取らせた後、前記原稿台の読取開始位置に向かって助走するための助走開始位置としての第２位置へ前記キャリッジを移動させ、前記入力手段から入力される前記読取開始指示を待機することを特徴とする原稿読取装置を提供するものである。
【手続補正書】
【提出日】平成22年7月20日(2010.7.20)
【手続補正１】
【補正対象書類名】特許請求の範囲
【補正対象項目名】全文
【補正方法】変更
【補正の内容】
【特許請求の範囲】
【請求項１】
原稿を載置するための原稿台と、
前記原稿台に沿って移動し、前記原稿台を露光するキャリッジと、
前記キャリッジにより露光された前記原稿台上の原稿の画像を読み取る読取手段と、
前記キャリッジの移動範囲内に設けられた流し読み面へ原稿を搬送し、前記流し読み面上で原稿を移動させる搬送手段と、
前記原稿台と前記流し読み面の間に設けられた白基準部材と、
前記原稿台上の原稿の画像の読み取りの開始を指示する読取開始指示を入力する入力手段と、
前記原稿台上に載置された原稿を読み取る場合、前記キャリッジを前記原稿台に沿って移動させて、前記原稿台上の原稿の画像を前記読取手段に読み取らせ、前記搬送手段により搬送される原稿を読み取る場合、前記キャリッジを前記流し読み面下方で静止させ、前記搬送手段により前記流し読み面上で原稿を移動させて、前記流し読み面上を移動する原稿の画像を前記読取手段により読み取らせる制御手段と、
を有し、前記制御手段は、
前記原稿台に載置された原稿を読み取る場合、前記読取開始指示に先立って、前記白基準部材を読み取るための第１位置へ前記キャリッジを移動させて、前記読取手段に前記白基準部材を読み取らせた後、前記流し読み面下方の第２位置へ前記キャリッジを移動させて前記読取開始指示を待機し、
前記読取手段が前記白基準部材を読み取ってから所定時間経過するまでの間に前記読取開始指示があると、前記キャリッジを前記原稿台に沿って移動させて、前記原稿台に載置された原稿を前記読取手段に読み取らせ、
前記読取手段が前記白基準部材を読み取ってから前記所定時間経過するまでの間に前記読取開始指示がないと、前記キャリッジを前記第２位置から前記第１位置へ移動させて、前記読取手段に前記白基準部材を読み取らせた後、前記キャリッジを前記第２位置へ移動させて、前記読取開始指示を待機することを特徴とする原稿読取装置。
【請求項２】
前記第２位置と前記読取開始位置の距離は、前記第１位置と前記読取開始位置の距離よりも長いことを特徴とする請求項１記載の原稿読取装置。
【請求項３】
前記第２位置と前記読取開始位置の距離は、前記キャリッジを前記第２位置から前記読取開始位置に移動させたときに前記原稿台上の原稿を読み取るための前記キャリッジの目標速度まで前記キャリッジの速度を加速させ安定させるための距離であることを特徴とする請求項２記載の原稿読取装置。
【請求項４】
前記原稿台に載置された原稿を押さえる圧板と、
前記圧板の開閉を検知する検知手段を有し、
前記制御手段は、前記圧板が開けられたことを前記検知手段が検知すると、前記キャリッジを前記原稿台下方の第３位置へ移動させ、前記圧板が所定角度まで閉じられたことを前記検知手段が検知すると、前記読取手段に前記第３位置で前記原稿台上の原稿の画像を読み取らせた後、前記キャリッジを前記第１位置へ移動させることを特徴とする請求項１記載の原稿読取装置。
【請求項５】
前記制御手段は、前記読取手段が前記第３位置で読み取った前記原稿台上の原稿の画像に基づいて前記原稿台に載置された原稿のサイズを検知することを特徴とする請求項４記載の原稿読取装置。
【手続補正２】
【補正対象書類名】明細書
【補正対象項目名】０００５
【補正方法】変更
【補正の内容】
【０００５】
上記課題を解決するため、本発明は、原稿を載置するための原稿台と、前記原稿台に沿って移動し、前記原稿台を露光するキャリッジと、前記キャリッジにより露光された前記原稿台上の原稿の画像を読み取る読取手段と、前記キャリッジの移動範囲内に設けられた流し読み面へ原稿を搬送し、前記流し読み面上で原稿を移動させる搬送手段と、前記原稿台と前記流し読み面の間に設けられた白基準部材と、前記原稿台上の原稿の画像の読み取りの開始を指示する読取開始指示を入力する入力手段と、前記原稿台上に載置された原稿を読み取る場合、前記キャリッジを前記原稿台に沿って移動させて、前記原稿台上の原稿の画像を前記読取手段に読み取らせ、前記搬送手段により搬送される原稿を読み取る場合、前記キャリッジを前記流し読み面下方で静止させ、前記搬送手段により前記流し読み面上で原稿を移動させて、前記流し読み面上を移動する原稿の画像を前記読取手段により読み取らせる制御手段と、を有し、前記制御手段は、前記原稿台に載置された原稿を読み取る場合、前記読取開始指示に先立って、前記白基準部材を読み取るための第１位置へ前記キャリッジを移動させて、前記読取手段に前記白基準部材を読み取らせた後、前記流し読み面下方の第２位置へ前記キャリッジを移動させて前記読取開始指示を待機し、前記読取手段が前記白基準部材を読み取ってから所定時間経過するまでの間に前記読取開始指示があると、前記キャリッジを前記原稿台に沿って移動させて、前記原稿台に載置された原稿を前記読取手段に読み取らせ、前記読取手段が前記白基準部材を読み取ってから前記所定時間経過するまでの間に前記読取開始指示がないと、前記キャリッジを前記第２位置から前記第１位置へ移動させて、前記読取手段に前記白基準部材を読み取らせた後、前記キャリッジを前記第２位置へ移動させて、前記読取開始指示を待機することを特徴とする原稿読取装置を提供するものである。
【手続補正３】
【補正対象書類名】明細書
【補正対象項目名】００１４
【補正方法】変更
【補正の内容】
【００１４】
図２は、ＡＤＦ１００の開閉検知機構を説明する図である。ＡＤＦ１００の排紙トレイ１３の下面は原稿台ガラス２０９に原稿を押さえつける原稿圧板となっており、ユーザによってＡＤＦ１００が開閉される。原稿読取部２００はＡＤＦ１００の開閉状態を検知する開閉検知センサ２１１を備える。開閉検知センサ２１１は、ＡＤＦ１００が原稿台ガラス２０９に対して所定角度（例えば３０°）まで閉じられたときに、その状態を示す信号をＣＰＵ９０１へ出力する。また、原稿読取部２００はサイズ検知センサ２１２を備え、ＡＤＦ１００が角度３０°まで閉じられたことが検知されると、ランプ２０３により露光された原稿からの反射光を検知したサイズ検知センサ出力に応じて、原稿台ガラス２０９上の原稿の副走査方向のサイズを判別する。
【手続補正４】
【補正対象書類名】明細書
【補正対象項目名】００１５
【補正方法】変更
【補正の内容】
【００１５】
図３は、原稿読取装置の制御ブロック図である。ＣＰＵ８０１は図１に示すＡＤＦ１００及び原稿読取部２００を制御する。ＲＯＭ８０２には、制御用プログラムが格納されており、ＲＡＭ８０３には、入力データや作業用データが格納されている。ＣＰＵ８０１は、分離モータ８２３、搬送モータ８２４、リードモータ８２６、排紙モータ８２５、ランプ２０３、ランプ９を制御する。分離モータ８２３は、給紙ローラ１、分離ローラ２を駆動する。搬送モータ８２４は、搬送ローラ３、レジストローラ４を駆動する。リードモータ８２６は、プラテン上流ローラ５、プラテンローラ６、プラテン下流ローラ７、裏面読取ローラ８を駆動する。排紙モータ８２５は排紙ローラ１２を駆動する。また、ＣＰＵ８０１は、キャリッジ２０２を副走査方向に移動させるべく駆動する光学モータ８２２を制御する。また、原稿検知センサ１４、開閉検知センサ２１１、サイズ検知センサ群２１２の検知結果はＣＰＵ８０１に入力される。また、ＣＣＤラインセンサ１０及び２０８で読み取られた画像データは、画像処理部８３３を介して一旦画像メモリ８３２に格納される。
【手続補正５】
【補正対象書類名】明細書
【補正対象項目名】００１９
【補正方法】変更
【補正の内容】
【００１９】
図４（ｄ）は、原稿台ガラス２０９上の原稿を読取走査中のキャリッジ２０２の位置を示す。キャリッジ２０２は読取開始指示に応じて助走開始位置から読取開始位置に向かって加速（助走）し、原稿台ガラス２０９を走査する。図４（ｅ）は、キャリッジ２０２が助走開始位置から副走査方向へ移動する際の速度を示したグラフである。図４（ｅ）に示すように、キャリッジ２０２が読取開始位置（原稿台ガラス２０９の図４における左端）に到達するまでに、キャリッジ２０２の速度は目標速度に加速され、且つ、安定した目標速度になるように加速制御される。つまり、キャリッジ２０２が読取開始位置に達するまでに、キャリッジ２０２の速度がオーバシュートした際の速度の振動が充分に取れている状態になっており、原稿走査中のキャリッジ２０２の速度変動による画質低下を防止している。
【手続補正６】
【補正対象書類名】明細書
【補正対象項目名】００２９
【補正方法】変更
【補正の内容】
【００２９】
１００  ＡＤＦ
２００  原稿読取部
２０２  キャリッジ
２０８  ＣＣＤラインセンサ
２０９  原稿台ガラス
２１０  白基準板
２１１  開閉検知センサ
８０１  ＣＰＵ
８２２  光学モータ
２０３  ランプ
８３３  画像処理部